(57)【要約】【課題】人間の患部を定量的に観察することができるシール作成装置を提供する。【解決手段】シール作成装置１００は、読取部１１０と、特定部１２０と、作成部１３０とを備える。読取部１１０は、患部２の位置を示す図形６と、身体上の患部２の位置を特定する少なくとも２つのマーク８とを含む媒体１０から、図形６及びマーク８を読み取る。特定部１２０は、読取部１１０が読み取った図形６及びマーク８を特定する情報を取得する。作成部１３０は、特定部１２０の情報に基づいて、患部２を観察するための患部観察シール３００に形成される原稿画像２００を作成する。原稿画像２００は、窓画像２０６と、第１比較画像２１１と、少なくとも２つのマーク画像８とを含む。窓画像２０６は、患部２を観察する窓に対応する画像を示す。第１比較画像２１１は、患部２と比較される画像を示す。マーク画像２０８は、マーク８に対応する画像を示す。【選択図】図１
2020027420.tif 000002
【特許請求の範囲】
【請求項１】
人間の患部の位置を示す図形と、前記人間の身体上で前記患部の位置を特定する目印として機能する少なくとも２つのマークとを含む媒体から、前記図形及び前記少なくとも２つのマークを読み取る読取部と、
前記図形を特定する第１情報及び前記少なくとも２つのマークを特定する第２情報を前記読取部の読み取り結果に基づいて取得する特定部と、
前記患部を観察するための患部観察シールに形成される原稿画像を、前記第１情報及び前記第２情報に基づいて作成する作成部と
を備え、
前記原稿画像は、窓画像と、比較画像と、少なくとも２つのマーク画像とを含み、
前記窓画像は、前記図形に対応し、前記患部を観察するときの窓を定める画像を示し、
前記比較画像は、前記患部と比較される画像を示し、
前記少なくとも２つのマーク画像は、それぞれ、前記少なくとも２つのマークに対応する画像を示す、シール作成装置。
【請求項２】
前記第１情報は、前記図形の位置と形状とを示し、
前記第２情報は、前記少なくとも２つのマークの位置を示し、
前記作成部は、前記窓画像と前記少なくとも２つのマーク画像との前記原稿画像における位置を、前記第１情報及び前記第２情報に基づいて算出する位置算出部を含み、
前記位置算出部は、少なくとも前記窓画像の位置に基づいて前記比較画像の位置を決定する、請求項１に記載のシール作成装置。
【請求項３】
前記比較画像は、前記患部の大きさを測る目盛を含み、前記窓画像の隣に配置される、請求項１又は請求項２に記載のシール作成装置。
【請求項４】
前記比較画像は、前記患部の色と比較される色彩を有する領域を含み、前記窓画像の隣に配置される、請求項１から請求項３のいずれか１項に記載のシール作成装置。
【請求項５】
前記原稿画像は、患部画像の色味を補正することの可能な色味補正画像をさらに含み、
前記患部画像は、前記人間の身体に配置された前記患部観察シールの前記窓から露出する前記患部を撮像して取得された前記患部の画像を示す、請求項１から請求項４のいずれか１項に記載のシール作成装置。
【請求項６】
前記作成部は、前記患部観察シールの外縁を、前記窓画像と前記比較画像と前記少なくとも２つのマーク画像の配置に基づいて算出する外縁算出部をさらに含み、
前記原稿画像は、前記患部観察シールの前記外縁を示す外縁画像を含む、請求項１から請求項５のいずれか１項に記載のシール作成装置。
【請求項７】
ユーザーからの入力を受け付ける入力部をさらに備え、
前記位置算出部は、前記入力部からの入力に基づいて、互いに異なる複数の前記比較画像から前記原稿画像に含める前記比較画像を選択する、請求項２に記載のシール作成装置。
【請求項８】
前記原稿画像をシートに形成する画像形成部をさらに備える、請求項１から請求項７のいずれか１項に記載のシール作成装置。
【請求項９】
請求項１から請求項８のいずれか１項に記載のシール作成装置と、
ネットワークを介して前記シール作成装置及び端末に接続されるサーバーと
を備え、
前記シール作成装置は、前記原稿画像を前記サーバーに送信する通信部をさらに備え、
前記サーバーは、
前記原稿画像を記憶する記憶部と、
前記原稿画像を前記端末に送信する通信部と
を備える、シール作成システム。
【請求項１０】
人間の患部の位置を示す図形と、前記人間の身体上で前記患部の位置を特定する目印として機能する少なくとも２つのマークとを含む媒体から、前記図形及び前記少なくとも２つのマークを読み取る読取ステップと、
前記図形を特定する第１情報及び前記少なくとも２つのマークを特定する第２情報を、前記読取ステップの読み取り結果に基づいて取得する特定ステップと、
前記患部を観察するための患部観察シールに形成される原稿画像を、前記第１情報及び前記第２情報に基づいて作成する作成ステップと
を含み、
前記原稿画像は、窓画像と、比較画像と、少なくとも２つのマーク画像とを含み、
前記窓画像は、前記図形に対応し、前記患部を観察するときの窓を定める画像を示し、
前記比較画像は、前記患部と比較される画像を示し、
前記少なくとも２つのマーク画像は、それぞれ、前記少なくとも２つのマークに対応する画像を示す、シール作成方法。
【発明の詳細な説明】
【技術分野】
【０００１】
本発明は、シール作成装置、シール作成システム、及び、シール作成方法に関する。
【背景技術】
【０００２】
通信ネットワーク技術を活用した遠隔医療が普及しつつある。遠隔地に居る患者の患部画像を、通信ネットワークを介して病院に居る医師に送信し、医師が患者を効率よく診察するシステムが提案されている。例えば、特許文献１に記載の遠隔診察システムは、患者側の端末で撮像された患者の患部画像を、通信ネットワークを介して接続された複数の医師側の端末に表示する。そして、複数の医師が、医師側の端末に表示された患部画像を共有して診察し、効果的な遠隔診察を行う。
【先行技術文献】
【特許文献】
【０００３】
【特許文献１】国際公開第２０１８／００３０７７号
【発明の概要】
【発明が解決しようとする課題】
【０００４】
しかしながら、特許文献１に記載の遠隔診察システムでは、病院に居る医師は、患部を定量的に観察することは困難であった。
【０００５】
本発明は上記課題に鑑みてなされたものであり、人間の患部を定量的に観察することができるシールを作成できるシール作成装置、シール作成システム、及び、シール作成方法を提供することを目的とする。
【課題を解決するための手段】
【０００６】
本発明の一局面に係るシール作成装置は、読取部と、特定部と、作成部とを備える。前記読取部は、人間の患部の位置を示す図形と、前記人間の身体上で前記患部の位置を特定する目印として機能する少なくとも２つのマークとを含む媒体から、前記図形及び前記少なくとも２つのマークを読み取る。前記特定部は、前記図形を特定する第１情報及び前記少なくとも２つのマークを特定する第２情報を、前記読取部の読み取り結果に基づいて取得する。前記作成部は、前記患部を観察するための患部観察シールに形成される原稿画像を、前記第１情報及び前記第２情報に基づいて作成する。前記原稿画像は、窓画像と、比較画像と、少なくとも２つのマーク画像とを含む。前記窓画像は、前記図形に対応し、前記患部を観察するときの窓を定める画像を示す。前記比較画像は、前記患部と比較される画像を示す。前記少なくとも２つのマーク画像は、それぞれ、前記少なくとも２つのマークに対応する画像を示す。
【０００７】
本発明の他の局面に係るシール作成システムは、上記シール作成装置と、サーバーとを備える。サーバーは、ネットワークを介して前記シール作成装置及び端末に接続される。前記シール作成装置は、通信部をさらに備える。通信部は、前記原稿画像を前記サーバーに送信する。前記サーバーは、記憶部と、通信部とを備える。記憶部は、前記原稿画像を記憶する。通信部は、前記原稿画像を前記端末に送信する。
【０００８】
本発明のさらに他の局面に係るシール作成方法は、読取ステップと、特定ステップと、作成ステップとを含む。前記読取ステップは、人間の患部の位置を示す図形と、前記人間の身体上で前記患部の位置を特定する目印として機能する少なくとも２つのマークとを含む媒体から、前記図形及び前記少なくとも２つのマークを読み取る。前記特定ステップは、前記図形を特定する第１情報及び前記少なくとも２つのマークを特定する第２情報を、前記読取ステップの読み取り結果に基づいて取得する。前記作成ステップは、前記患部を観察するための患部観察シールに形成される原稿画像を、前記第１情報及び前記第２情報に基づいて作成する。前記原稿画像は、窓画像と、比較画像と、少なくとも２つのマーク画像とを含む。前記窓画像は、前記図形に対応し、前記患部を観察するときの窓を定める画像を示す。前記比較画像は、前記患部と比較される画像を示す。前記少なくとも２つのマーク画像は、それぞれ、前記少なくとも２つのマークに対応する画像を示す。
【発明の効果】
【０００９】
本発明のシール作成装置によれば、人間の患部を定量的に観察することができるシールを作成できる。
【図面の簡単な説明】
【００１０】
【図１】本発明の実施形態１に係るシール作成装置を示す図である。
【図２】実施形態１に係るシール作成装置が読み取る媒体を示す図である。
【図３】実施形態１に係るシール作成装置で作成した原稿画像を示す図である。
【図４】実施形態１に係るシール作成装置システムで作成した患部観察シールを示す図である。
【図５】実施形態１に係るシール作成装置システムで作成した患部観察シールを、人間の身体に貼り付けた状態を示す図である。
【図６】実施形態１に係るシール作成方法を示すフローチャートである。
【図７】実施形態１に係るシール作成方法における原稿画像を作成する処理を示すフローチャートである。
【図８】本発明の実施形態２に係るシール作成システムを示す図である。
【図９】本発明の実施形態３に係る画像形成装置を示す図である。
【発明を実施するための形態】
【００１１】
以下、本発明の実施形態について、図面を参照しながら説明する。なお、図中、同一又は相当部分については同一の参照符号を付して説明を繰り返さない。
【００１２】
（実施形態１）
図１〜図６を参照して、本発明の実施形態１に係るシール作成装置１００について説明する。図１は、シール作成装置１００の構成を示す図である。シール作成装置１００は、人間の患部を観察するための患部観察シール（以下、「患部観察シール３００」と記載する。）を作成する。シール作成装置１００は、例えば、パーソナルコンピューター、スキャナー、及びプリンターによって構成される。なお、シール作成装置１００は、例えば、複合機のような画像形成装置によって構成されてもよい。
【００１３】
図１に示すように、シール作成装置１００は、読取部１１０と、制御部１１５と、記憶部１６５と、入力部１６０と、通信部１７０と、画像形成部１７５とを備える。制御部１１５は、特定部１２０と、作成部１３０とを含む。作成部１３０は、外縁算出部１４０と、位置算出部１５０と、原稿画像作成部１５５とを含む。
【００１４】
読取部１１０は画像を読み取る。読取部１１０は、例えば、スキャナーを含む。制御部１１５は、記憶部１６５、入力部１６０、通信部１７０、及び画像形成部１７５を制御する。制御部１１５は、ＣＰＵ（Ｃｅｎｔｒａｌ  Ｐｒｏｃｅｓｓｉｎｇ  Ｕｎｉｔ）のようなプロセッサーを含む。
【００１５】
記憶部１６５は、記憶装置を含み、データ及びコンピュータープログラムを記憶する。具体的には、記憶部１６５は、半導体メモリーのような主記憶装置と、半導体メモリー及び／又はハードディスクドライブのような補助記憶装置とを含む。記憶部１６５は、リムーバブルメディアを含んでいてもよい。
【００１６】
制御部１１５のプロセッサーは、記憶部１６５の記憶装置が記憶しているコンピュータープログラムを実行して、特定部１２０及び作成部１３０として機能する。また、制御部１１５のプロセッサーは、記憶部１６５の記憶装置が記憶しているコンピュータープログラムを実行して、外縁算出部１４０、位置算出部１５０、及び原稿画像作成部１５５として機能する。
【００１７】
入力部１６０は、ユーザーからの入力を受け付ける。入力部１６０は、ユーザーからの入力に応じた情報を制御部１１５に出力する。入力部１６０は、例えば、ポインティングデバイス及びキーボードのような入力装置、又は、タッチパネル及び複数のキーのような入力装置を含む。入力部１６０のタッチパネルは、各種画像を表示するディスプレーとしても機能する。また、入力部１６０がディスプレーを有しない場合には、シール作成装置１００は、ディスプレーのような表示部１６２をさらに備える。
【００１８】
通信部１７０は、ネットワークに接続される。そして、通信部１７０は、ネットワークを介して、ネットワークに接続される各種機器（例えば、サーバー又は端末）と通信する。通信部１７０は、例えば、ネットワークインターフェイスコントローラーのような通信機を含む。
【００１９】
次に、図２を参照して、読取部１１０の読み取り対象である媒体１０について説明する。図２は媒体１０を示す図である。媒体１０は、透けている用紙である。媒体１０は、例えば、トレーシングペーパーである。媒体１０は、図形６と、少なくとも２つのマーク８とを含む。図形６は、人間の患部２の位置を示す。人間は例えば患者である。例えば、図形６は患部２を囲む。例えば、図形６は略矩形状である。少なくとも２つのマーク８は、人間の身体上で患部２の位置を特定する目印として機能する。
【００２０】
具体的には、媒体１０には、次のようにして、図形６及びマーク８が記載される。すなわち、媒体１０は開口７を有する。そして、開口７から患部２が露出するように、媒体１０が人間の身体に配置される。例えば、媒体１０は粘着テープで身体に配置される。なお、媒体１０は開口７を有していなくてもよい。この場合は、患部２が媒体１０を通して透けて見える。
【００２１】
そして、図形６が患部２を囲むように、図形６が媒体１０に記載される。さらに、マーク８が、媒体１０のうち、身体上の目印部分４が透けて見える部分に記載される。目印部分４は、媒体１０が身体を覆う範囲内に位置する。目印部分４は、例えば、患部２の近傍に位置する黒子、又は、患部２の近傍の印である。印は、例えば、筆記具で記された点（例えば黒点）である。なお、図形６及びマーク８は、例えば、作業者によって手書きで媒体１０に記載される。
【００２２】
次に、図１〜図５を参照して、読取部１１０、特定部１２０、作成部１３０、及び画像形成部１７５を説明する。図１及び図２に示すように、読取部１１０は、媒体１０をスキャンすることによって、媒体１０から、図形６及び少なくとも２つのマーク８を読み取る。そして、読取部１１０は、読取画像（以下、「読取画像ＳＣ」と記載する。）を生成する。読取画像ＳＣは、図形６の画像と少なくとも２つのマーク８の画像とを含む。
【００２３】
そして、特定部１２０は、第１情報（以下、「第１情報Ｆ１」と記載する。）及び第２情報（以下、「第２情報Ｆ２」と記載する。）を読取部１１０の読み取り結果に基づいて取得する。
【００２４】
第１情報Ｆ１は、図形６を特定する。具体的には、第１情報Ｆ１は、図形６の位置と形状とを示す。図形６の位置は、例えば、少なくとも２つのマーク８の位置に対する図形６の位置を示す。図形６の位置は、例えば、予め設定された二次元直交座標系における図形６の位置を示す。図形６の形状は、図形６の輪郭とサイズとを含む。
【００２５】
第２情報Ｆ２は、少なくとも２つのマーク８を特定する。具体的には、第２情報Ｆ２は、少なくとも２つのマーク８の位置を示す。マーク８の位置は、例えば、予め設定された二次元直交座標系におけるマーク８の位置を示す。マーク８の位置は、例えば、基準のマーク８に対する他のマーク８の位置を示す。
【００２６】
具体的には、特定部１２０は、読取画像ＳＣを解析して、読取画像ＳＣに含まれる図形６の画像と少なくとも２つのマーク８の画像とを検出する。そして、特定部１２０は、図形６の画像と少なくとも２つのマーク８の画像とに基づいて、第１情報Ｆ１及び第２情報Ｆ２を算出する。
【００２７】
作成部１３０は、第１情報Ｆ１及び第２情報Ｆ２に基づいて原稿画像（以下、「原稿画像２００」と記載する。）を作成する。原稿画像２００は患部観察シール３００に形成される。
【００２８】
図３は、原稿画像２００を示す図である。図３に示すように、原稿画像２００がシートＳに形成されている。原稿画像２００は、窓画像ＷＤと、少なくとも１つの比較画像ＣＭと、少なくとも２つのマーク画像２０８と、少なくとも１つの色味補正画像ＣＬと、外縁画像２１６とを含む。窓画像ＷＤは、図２に示す図形６に対応し、患部２を観察するときの窓（以下、「窓２０７」と記載する。）を定める画像を示す。比較画像ＣＭは、患部２と比較される画像を示す。少なくとも２つのマーク画像２０８は、それぞれ、図２に示す少なくとも２つのマーク８に対応する画像を示す。色味補正画像ＣＬは、患部画像の色味を補正することの可能な画像を示す。外縁画像２１６は、患部観察シール３００の外縁を示す。シートＳのうち、外縁画像２１６に沿ってシートＳから切り離された部分が、患部観察シール３００を構成する。
【００２９】
実施形態１では、図１に示す記憶部１６５は、互いに異なる複数の比較画像ＣＭ、互いに異なる複数の色味補正画像ＣＬ、互いに異なる複数の窓画像ＷＤ、及び、少なくとも２つのマーク画像２０８を記憶している。そして、図３に示すように、原稿画像２００は、複数の比較画像ＣＭのうちから選択された第１比較画像２１１と第２比較画像２１４とを含む。また、原稿画像２００は、複数の色味補正画像ＣＬのうちから選択された色味補正画像２１３を含む。さらに、原稿画像２００は、複数の窓画像ＷＤから選択された窓画像２０６を含む。
【００３０】
窓画像２０６は、実施形態１では、略矩形状である。なお、窓画像２０６の形状は、特に限定されず、例えば、略円形状であってもよい。
【００３１】
第１比較画像２１１及び第２比較画像２１４の各々は、窓画像２０６の隣に配置される。具体的には、第１比較画像２１１及び第２比較画像２１４の各々は、窓画像２０６の縁に沿って配置される。さらに具体的には、第１比較画像２１１は複数の比較画像片２１０を有する。実施形態１では２つの比較画像片２１０を有する。２つの比較画像片２１０は、それぞれ、窓画像２０６の４辺のうち互いに直交する２辺に沿って配置される。なお、第１比較画像２１１は、１つの比較画像片２１０を有していてもよい。また、例えば、第１比較画像２１１は、窓画像２０６を囲む４つの比較画像片２１０を含んでいてもよい。また、第２比較画像２１４は、窓画像２０６の４辺のうちの１辺に沿って配置される。
【００３２】
外縁画像２１６は例えば線画像である。外縁画像２１６は、少なくとも、窓画像ＷＤと比較画像ＣＭとマーク画像２０８とを囲む。実施形態１では、外縁画像２１６は、窓画像ＷＤと比較画像ＣＭとマーク画像２０８と色味補正画像ＣＬとを囲む。外縁画像２１６は例えば切り取り線を示す。なお、原稿画像２００は外縁画像２１６を含んでいなくてもよい。この場合は、シートＳから原稿画像２００を包含する部分が切り離されて、原稿画像２００を包含する部分が患部観察シール３００を構成する。
【００３３】
色味補正画像２１３は、窓画像２０６の隣に配置される。具体的には、色味補正画像２１３は、窓画像２０６の縁に沿って配置される。色味補正画像２１３は、単数又は複数の色彩を有する。具体的には、色味補正画像２１３は、複数の色味補正画像片２１２（具体的には２つの色味補正画像片２１２）を有する。複数の色味補正画像片２１２の各々は、互いに異なる色彩を有する。なお、色味補正画像２１３は、１つの色味補正画像片２１２を有していてもよい。また、原稿画像２００は色味補正画像２１３を含んでいなくてもよい。
【００３４】
図１及び図３に示すように、画像形成部１７５は、患部観察シール３００の元になるシートＳに、原稿画像２００を形成する。そして、外縁画像２１６に沿ってシートＳから患部観察シール３００が切り取られる。その結果、実施形態１によれば、必要最小限の大きさを有する患部観察シール３００を作成できる。また、実施形態１によれば、シール作成装置１００が画像形成部１７５を備えることで、患部観察シール３００を容易に作成できる。なお、シートＳの表面と裏面とのうちの表面に原稿画像２００が形成される。また、シートＳの裏面には、例えば、粘着剤が塗布されている。
【００３５】
図４は、患部観察シール３００を示す図である。図４に示すように、患部観察シール３００は、窓画像２０６と、第１比較画像２１１と、第２比較画像２１４と、少なくとも２つのマーク画像２０８とを含む。患部観察シール３００は、色味補正画像２１３を含むことが好ましい。なお、患部観察シール３００は、第１比較画像２１１と第２比較画像２１４とのうちの少なくとも一方を含んでいればよい。患部観察シール３００の裏面には、例えば、粘着剤が塗布されている。実施形態１によれば、患部観察シール３００が外縁画像２１６に沿った必要最低限の大きさを有するため、患部観察シール３００を人間の身体に貼った後に剥がす場合、剥がす作業が容易である。
【００３６】
図５は、患部観察シール３００の使用状態を示す図である。図４及び図５に示すように、患部観察シール３００のうち、マーク画像２０８の領域と、窓画像２０６の領域とが切り抜かれている。その結果、患部観察シール３００は、マーク画像２０８に対応する開口２０９と、窓画像２０６に対応する窓２０７とを有する。窓２０７は開口である。
【００３７】
図５に示すように、人間の身体の２つの目印部分４が、それぞれ、２つの開口２０９から露出するように、患部観察シール３００が身体に配置される。その結果、患部２が窓２０７から露出する。従って、実施形態１によれば、観察者は、患部２を第１比較画像２１１又は第２比較画像２１４と比較することで、患部２を定量的に観察できる。換言すれば、シール作成装置１００は、患部２を定量的に観察することができるシール（具体的には患部観察シール３００）を作成できる。観察者は例えば医師である。なお、例えば、患部観察シール３００は身体に貼られる。
【００３８】
第１比較画像２１１は、具体的には、患部２の大きさを測る目盛を含む。従って、実施形態１によれば，観察者は、第１比較画像２１１の目盛と患部２とを比較することで、患部２の大きさを定量的に観察することができる。具体的には、第１比較画像２１１を構成する２つの比較画像片２１０の各々が目盛を含む。特に、２つの比較画像片２１０は互いに直交しているため、２つの比較画像片２１０のうちの一方の比較画像片２１０で、患部２の縦方向（例えば鉛直方向）の大きさを測り、他方の比較画像片２１０で、患部２の横方向（例えば水平方向）の大きさを測ることができる。
【００３９】
また、第２比較画像２１４は、複数の領域２１４ａを含む。複数の領域２１４ａの各々は、患部２の色と比較される色彩を有する。具体的には、複数の領域２１４ａは、互いに異なる色彩を有する。従って、実施形態１によれば，観察者は、各領域２１４ａの色彩と患部２の色とを比較することで、患部２の色を定量的に観察することができる。なお、第２比較画像２１４は、単数の領域２１４ａを含んでいてもよい。
【００４０】
さらに、患部観察シール３００は、患部画像の色味を補正することの可能な色味補正画像２１３を含んでいる。従って、実施形態１によれば、色味補正画像２１３に基づいて患部画像の色味を補正することで、患部２の状態を正確に観察できる。患部画像は、人間の身体に配置された患部観察シール３００の窓２０７から露出する患部２を撮像して取得された患部２の画像を示す。
【００４１】
具体的には、色味補正画像２１３は、患部２をディスプレーに表示して観察する場合、つまり、ディスプレーに表示された患部画像を観察する場合に利用される。
【００４２】
例えば、患部２を有する被観察者（例えば患者）と患部２を観察する観察者（例えば医師）とが互いに離れた場所に居る場合に、撮像装置（例えばカメラ）が、患部２と患部観察シール３００とを撮像して、撮像画像（以下、「撮像画像ＩＭ」と記載する。）を出力する。撮像画像ＩＭは患部画像及び患部観察シール３００を表す画像を含む。
【００４３】
そして、撮像画像ＩＭが、被観察者側端末からネットワークを経由して観察者側端末に送信される。さらに、撮像画像ＩＭが、観察者側端末のディスプレーに表示される。そして、観察者は、撮像画像ＩＭに含まれる患部画像を観察する。しかしながら、撮像装置又はディスプレーの仕様、特性、又は設定によっては、患部画像の色味が実際の患部２の色味と異なることがあり得る。そこで、観察者又は観察者側端末は、ディスプレーに表示される患部画像の色味が実際の患部２の色味に近づくように、撮像画像ＩＭに含まれる色味補正画像２１３に基づいて患部画像の色味を補正する。その結果、観察者は、被観察者に対して離れた場所に居ながらも、患部２の状態を正確に観察できる。
【００４４】
例えば、観察者は、ディスプレーに表示された撮像画像ＩＭに含まれる色味補正画像２１３の色と、観察者の手元にある患部観察シール３００の色味補正画像２１３の色とを比較する。そして、観察者は、ディスプレーに表示された色味補正画像２１３の色が手元の患部観察シール３００の色味補正画像２１３の色に近づくように、ディスプレーの色味調整機能を利用してディスプレーの色味を調整する。その結果、ディスプレーに表示される患部画像の色味が実際の患部２と同様の色味に補正される。
【００４５】
例えば、観察者側端末は、原稿画像２００を記憶しているか、又は、原稿画像２００をサーバーから取得する。そして、観察者側端末は、撮像画像ＩＭに含まれる色味補正画像２１３の色と、原稿画像２００に含まれる色味補正画像２１３の色とを比較する。さらに、観察者側端末は、撮像画像ＩＭに含まれる色味補正画像２１３の色が原稿画像２００に含まれる色味補正画像２１３の色に近づくように、撮像画像ＩＭの色味を調整する。従って、撮像画像ＩＭに含まれる患部画像の色味が実際の患部２と同様の色味に補正される。その結果、ディスプレーに表示される患部画像の色味を実際の患部２と同様の色味にすることができる。なお、被観察者側端末が、患部画像の色味の補正を実行してもよい。この場合は、色味補正後の撮像画像ＩＭが観察者側端末に送信される。
【００４６】
引き続き図１〜図５を参照して、作成部１３０の詳細を説明する。
【００４７】
図１〜図５に示すように、作成部１３０の位置算出部１５０は、窓画像２０６と少なくとも２つのマーク画像２０８との原稿画像２００における位置を、第１情報Ｆ１及び第２情報Ｆ２に基づいて算出する。つまり、位置算出部１５０は、窓画像２０６と少なくとも２つのマーク画像２０８との患部観察シール３００における位置を、第１情報Ｆ１及び第２情報Ｆ２に基づいて算出する。第１情報Ｆ１は図形６を特定する情報であり、第２情報Ｆ２はマーク８を特定する情報であるため、実施形態１によれば、窓画像２０６及び少なくとも２つのマーク画像２０８の配置を、図形６及び少なくとも２つのマーク８の配置と略同一にできる。その結果、患部２を有する人間及び患部２の位置に適合した患部観察シール３００を作成できる。
【００４８】
具体的には、窓画像２０６と少なくとも２つのマーク画像２０８との間の位置関係が、図形６と少なくとも２つのマーク８との間の位置関係と略同一になるように、位置算出部１５０は、窓画像２０６と少なくとも２つのマーク画像２０８との位置を第１情報Ｆ１及び第２情報Ｆ２に基づいて決定する。位置関係は距離及び配置を示す。
【００４９】
また、位置算出部１５０は、少なくとも窓画像２０６の位置に基づいて、第１比較画像２１１及び第２比較画像２１４の位置を決定する。従って、実施形態１によれば、第１比較画像２１１及び第２比較画像２１４を窓画像２０６の縁に沿って配置できる。その結果、観察者にとって、窓２０７から露出する患部２と、第１比較画像２１１及び第２比較画像２１４との比較が容易になる。
【００５０】
さらに、位置算出部１５０は、窓画像２０６及びマーク画像２０８の位置と異なるように、第１比較画像２１１、第２比較画像２１４、及び色味補正画像２１３の位置を決定する。
【００５１】
さらに、位置算出部１５０は、ユーザーによって入力部１６０に入力された位置情報に基づいて、原稿画像２００における第１比較画像２１１及び第２比較画像２１４の位置を変更する。つまり、位置算出部１５０は、入力部１６０に入力された位置情報に基づいて、患部観察シール３００における第１比較画像２１１及び第２比較画像２１４の位置を変更する。従って、実施形態１によれば、ユーザーは、入力部１６０を操作することによって、第１比較画像２１１及び第２比較画像２１４を所望の位置に容易に配置できる。
【００５２】
具体的には、入力部１６０のタッチパネル又は表示部１６２には、原稿画像２００を表すプレビュー画面が表示される。ユーザーは、タッチ操作又はポインティングデバイスの操作によって、プレビュー画面中の原稿画像２００に含まれる第１比較画像２１１又は第２比較画像２１４を移動する。位置算出部１５０は、プレビュー画面中の第１比較画像２１１又は第２比較画像２１４の位置に基づいて、原稿画像２００における第１比較画像２１１又は第２比較画像２１４の位置を変更する。
【００５３】
なお、位置算出部１５０は、入力部１６０に入力された位置情報に基づいて、原稿画像２００における色味補正画像２１３の位置を変更してもよい。また、作成部１３０は、入力部１６０からの入力に基づいて、第１比較画像２１１の変更及び削除、第２比較画像２１４の変更及び削除、並びに、色味補正画像２１３の変更及び削除を実行してもよい。
【００５４】
また、位置算出部１５０は、入力部１６０からの入力に基づいて、記憶部１６５に記憶されている互いに異なる複数の比較画像ＣＭから原稿画像２００に含める第１比較画像２１１及び第２比較画像２１４を選択する。従って、実施形態１によれば、ユーザーは、入力部１６０を操作することによって、所望の第１比較画像２１１及び第２比較画像２１４を原稿画像２００、具体的には患部観察シール３００に配置できる。
【００５５】
なお、位置算出部１５０は、入力部１６０からの入力に基づいて、記憶部１６５に記憶されている互いに異なる複数の色味補正画像ＣＬから原稿画像２００に含める色味補正画像２１３を選択してもよい。また、位置算出部１５０は、入力部１６０からの入力に基づいて、記憶部１６５に記憶されている互いに異なる複数の窓画像ＷＤから原稿画像２００に含める窓画像２０６を選択してもよい。従って、実施形態１によれば、ユーザーは、入力部１６０を操作することによって、記憶部１６５に記憶されている互いに異なる複数の色味補正画像ＣＬ、及び、互いに異なる複数の窓画像ＷＤから、所望の色味補正画像２１３及び窓画像２０６を原稿画像２００、具体的には患部観察シール３００に配置できる。
【００５６】
外縁算出部１４０は、患部観察シール３００の外縁を、窓画像２０６と第１比較画像２１１と第２比較画像２１４と少なくとも２つのマーク画像２０８との配置に基づいて算出する。実施形態１では、外縁算出部１４０は、患部観察シール３００の外縁を、窓画像２０６と第１比較画像２１１と第２比較画像２１４と少なくとも２つのマーク画像２０８と色味補正画像２１３との配置に基づいて算出する。外縁算出部１４０は、算出した外縁に対応する外縁画像２１６を作成する。
【００５７】
原稿画像作成部１５５は、位置算出部１５０の算出結果と外縁算出部１４０の算出結果とに基づいて窓画像２０６と第１比較画像２１１と第２比較画像２１４と少なくとも２つのマーク画像２０８と色味補正画像２１３と外縁画像２１６とを合成して、原稿画像２００を作成する。
【００５８】
記憶部１６５は、異なる人間ごとの原稿画像２００を記憶する。通信部１７０は、異なる人間ごとの原稿画像２００をサーバー又は端末に送信する。従って、実施形態１によれば、サーバーにアクセスすることで容易に原稿画像２００を取得できるし、端末は容易に原稿画像２００を取得できる。
【００５９】
次に、図１、図６、及び図７を参照して、実施形態１に係るシール作成方法を説明する。シール作成方法はシール作成装置１００によって実行される。図６は、シール作成方法を示すフローチャートである。図６に示すように、シール作成方法は、ステップＳ１１０と、ステップＳ１２０と、ステップＳ１３０と、ステップＳ１４０とを含む。
【００６０】
図１及び図６に示すように、ステップＳ１１０において、読取部１１０は、図形６と、少なくとも２つのマーク８とを含む媒体１０から、図形６及び少なくとも２つのマーク８を読み取る。ステップＳ１１０は「読取ステップ」の一例に相当する。
【００６１】
ステップＳ１２０において、特定部１２０は、図形６を特定する第１情報Ｆ１及び少なくとも２つのマーク８を特定する第２情報Ｆ２を、ステップＳ１１０の読み取り結果に基づいて取得する。ステップＳ１２０は「特定ステップ」の一例に相当する。
【００６２】
ステップＳ１３０において、作成部１３０は、患部観察シール３００に形成される原稿画像２００を、第１情報Ｆ１及び第２情報Ｆ２に基づいて作成する。ステップＳ１３０は「作成ステップ」の一例に相当する。
【００６３】
ステップＳ１４０において、画像形成部１７５は、原稿画像２００をシートＳに形成する。そして、シートＳから原稿画像２００の領域が切り離されて、図４に示す患部観察シール３００が作成される。
【００６４】
図７は、図６のステップＳ１３０を示すフローチャートである。図７に示すように、原稿画像２００を作成するステップＳ１３０は、ステップＳ１３０ａと、ステップＳ１３０ｂと、ステップＳ１３０ｃとを含む。
【００６５】
図１及び図７に示すように、ステップＳ１３０ａにおいて、位置算出部１５０は、窓画像２０６と少なくとも２つのマーク画像２０８との原稿画像２００における位置を、第１情報Ｆ１及び第２情報Ｆ２に基づいて算出する。また、位置算出部１５０は、少なくとも窓画像２０６の位置に基づいて、第１比較画像２１１、第２比較画像２１４、及び色味補正画像２１３の位置を決定する。
【００６６】
ステップＳ１３０ｂにおいて、外縁算出部１４０は、患部観察シール３００の外縁を、窓画像２０６と第１比較画像２１１と第２比較画像２１４と少なくとも２つのマーク画像２０８と色味補正画像２１３との配置に基づいて算出する。
【００６７】
ステップＳ１３０ｃにおいて、原稿画像作成部１５５は、ステップＳ１３０ａでの算出結果とステップＳ１３０ｂでの算出結果とに基づいて窓画像２０６と第１比較画像２１１と第２比較画像２１４と少なくとも２つのマーク画像２０８と色味補正画像２１３と外縁画像２１６とを合成して、原稿画像２００を作成する。
【００６８】
以上、図６及び図７を参照して説明したように、実施形態１によれば、シール作成装置１００はシール作成方法を実行することで、人間の患部２を定量的に観察することができる患部観察シール３００を作成できる。
【００６９】
（実施形態２）
図８を参照して、本発明の実施形態２に係るシール作成システム４００を説明する。実施形態２に係るシール作成システム４００がサーバー４６０を備える点で、実施形態２は実施形態１と主に異なる。以下、実施形態２が実施形態１と異なる点を主に説明する。
【００７０】
図８は、実施形態２に係るシール作成システム４００を示す図である。図８に示すように、シール作成システム４００は、シール作成装置１００と、サーバー４６０と、端末１８２と、カメラ４８４と、プリンター４８２とを備える。
【００７１】
シール作成装置１００は、実施形態１に係るシール作成装置１００であって、読取部１１０と、特定部１２０と、作成部１３０と、通信部１７０とを備える。
【００７２】
サーバー４６０は、例えば、通信ネットワークを制御するコンピューターである。サーバー４６０は、記憶部４７０と、通信部４８０とを含む。記憶部４７０の構成は、シール作成装置１００の記憶部１６５の構成と同様である。通信部４８０の構成は、シール作成装置１００の通信部１７０の構成と同様である。
【００７３】
シール作成システム４００は、例えば、遠隔診断システムとして機能する。遠隔診断システムは、患者と医師とが離れた場所に居る場合に、患者側端末から医師側端末に患部の画像を送信して、医師側端末に患部の画像を表示するシステムを示す。その結果、医師は、表示された患部の画像に基づいて診断を行うことができる。
【００７４】
実施形態２では、シール作成装置１００は、例えば観察者である医師の居る場所に設置される。端末１８２は、例えば被観察者である患者の居る場所に設置される。
【００７５】
シール作成装置１００の通信部１７０とサーバー４６０の通信部４８０と端末１８２とは、ネットワーク４５０に接続される。ネットワーク４５０は、例えば、インターネット、ＬＡＮ（Ｌｏｃａｌ  Ａｒｅａ  Ｎｅｔｗｏｒｋ）、及び公衆電話網を含む。
【００７６】
すなわち、サーバー４６０は、ネットワーク４５０を介してシール作成装置１００及び端末１８２に接続される。シール作成装置１００の通信部１７０は、原稿画像２００をサーバー４６０に送信する。サーバー４６０の通信部４８０は原稿画像２００を受信する。そして、記憶部４７０は原稿画像２００を記憶する。その結果、記憶部４７０は、多数の人間の患部２に応じた多数の原稿画像２００を記憶する。通信部４８０は、端末１８２からの要求に応じて、端末１８２に原稿画像２００を送信する。従って、実施形態２によれば、端末１８２のユーザーである被観察者は、原稿画像２００を使用して患部観察シール３００を容易に作成できる。
【００７７】
具体的には、端末１８２がサーバー４６０から原稿画像２００を取得する。そして、端末１８２は、原稿画像２００をシートＳに形成するように、プリンター４８２を制御する。その結果、プリンター４８２は、シートＳに原稿画像２００を形成する。
【００７８】
そして、被観察者は、原稿画像２００の形成されたシートＳから患部観察シール３００を作成する。さらに、被観察者は、患部観察シール３００の２つの開口２０９からそれぞれ２つの目印部分４が露出するように、患部観察シール３００を身体に貼り付ける。その結果、患部２が患部観察シール３００の窓２０７から露出する。実施形態２によれば、例えば、観察者一人で又は介添人一人で、患部観察シール３００を身体に貼り付けることにより、患部２の遠隔観察の準備を容易に行うことができる。
【００７９】
カメラ４８４は、窓２０７から露出した患部２及び患部観察シール３００を撮像して、撮像画像ＩＭを出力する。撮像画像ＩＭは患部画像及び患部観察シール３００を表す画像を含む。
【００８０】
そして、端末１８２は、ネットワーク４５０を経由して撮像画像ＩＭをシール作成装置１００に送信する。そして、シール作成装置１００の入力部１６０のタッチパネル又は表示部１６２は、撮像画像ＩＭを表示する。さらに、観察者は、撮像画像ＩＭに含まれる患部画像と第１比較画像２１１及び第２比較画像２１４とを比較して、患部画像を観察する。その結果、観察者は、被観察者に対して離れた場所に居ながらも、患部２を定量的に観察できる。なお、シール作成装置１００は、撮像画像ＩＭに含まれる色味補正画像２１３に基づいて患部画像の色味を補正することが好ましい。
【００８１】
以上、図８を参照して説明したように、実施形態２によれば、シール作成システム４００は、患部観察シール３００を作成することで、人間の患部２を定量的に観察することができる遠隔診断システムを提供できる。
【００８２】
（実施形態３）
図９を参照して、本発明の実施形態３に係る画像形成装置５００について説明する。実施形態３では、画像形成装置５００が実施形態１に係るシール作成装置１００として機能する。以下、実施形態３が実施形態１と異なる点を主に説明する。図９は、画像形成装置５００を示す図である。画像形成装置５００は、例えば、複写機、プリンター、ファクシミリ、又は複合機である。
【００８３】
図９に示すように、画像形成装置５００は、制御部５１５と、原稿搬送部５０１と、画像読取部５１０と、収納部５２０と、搬送部５３０と、画像形成部５４０と、定着部５５０と、排出部５６０と、記憶部５１７と、通信部５１９と、入力部５６５とを備える。入力部５６５はタッチパネル５３２を含む。
【００８４】
制御部５１５は、実施形態１に係る制御部１１５として機能する。画像読取部５１０は、実施形態１に係る読取部１１０として機能する。画像形成部５４０は、実施形態１に係る画像形成部１７５として機能する。記憶部５１７は、実施形態１に係る記憶部１６５として機能する。通信部５１９は、実施形態１に係る通信部１７０として機能する。入力部５６５は、実施形態１に係る入力部１６０として機能する。従って、画像形成装置５００は、実施形態１に係るシール作成装置１００として機能する。その結果、実施形態３によれば、画像形成装置５００は、患部２を定量的に観察することができる患部観察シール３００（図３、図４）を作成できる。その他、実施形態３に係る画像形成装置５００は、実施形態１と同様の効果を有する。
【００８５】
原稿搬送部５０１は、画像読取部５１０に向けて原稿を搬送する。画像読取部５１０は、原稿の画像を読み取って画像データを生成する。収納部５２０はシートＳを収納する。収納部５２０は、カセット５２１を含む。カセット５２１はシートＳを積載する。シートＳは、カセット５２１から搬送部５３０に送り出される。シートＳは、例えば、紙製又は合成樹脂製のシートである。
【００８６】
搬送部５３０は、画像形成部５４０にシートＳを搬送する。画像形成部５４０は、感光体ドラム５４１、帯電部５４２、露光部５４３、現像部５４４、転写部５４５、クリーニング部５４６、及び除電部５４７を含み、シートＳに画像を形成する。例えば、画像形成部５４０は、シートＳに原稿画像２００（図３）を形成する。
【００８７】
帯電部５４２は感光体ドラム５４１の表面を帯電する。露光部５４３は、画像データに基づく光を感光体ドラム５４１の表面に照射する。その結果、感光体ドラム５４１の表面には画像データに対応した静電潜像が形成される。画像データは、例えば原稿画像２００を示す画像データである。現像部５４４は、感光体ドラム５４１の表面に形成された静電潜像を現像し、感光体ドラム５４１の表面にトナー像を形成する。シートＳが感光体ドラム５４１と転写部５４５との間に供給されると、転写部５４５はシートＳにトナー像を転写する。クリーニング部５４６は、感光体ドラム５４１の表面に残留しているトナーを除去する。除電部５４７は、感光体ドラム５４１の表面の残留電荷を除去する。
【００８８】
画像の形成されたシートＳは定着部５５０に向けて搬送される。画像は、例えば原稿画像２００を示す画像である。定着部５５０は、シートＳを加熱及び加圧して、シートＳに画像を定着させる。画像が定着されたシートＳは排出部５６０に向けて搬送される。排出部５６０はシートＳを排出する。
【００８９】
なお、画像形成装置５００は、図８を参照して説明したシール作成装置１００として機能してもよい。
【００９０】
以上、図９を参照して説明したように、実施形態３によれば、画像形成装置５００がシール作成装置１００として機能するため、人間の患部２を定量的に観察することができる患部観察シール３００をさらに容易に作成できる。
【００９１】
以上、図面を参照しながら本発明の実施形態を説明した。但し、本発明は、上記の実施形態に限られるものではなく、その要旨を逸脱しない範囲で種々の態様において実施することが可能である。また、上記の各実施形態に開示されている複数の構成要素を適宜組み合わせることによって、種々の発明の形成が可能である。例えば、実施形態に示される全構成要素から幾つかの構成要素を削除してもよい。さらに、異なる実施形態にわたる構成要素を適宜組み合わせてもよい。図面は、理解しやすくするために、それぞれの構成要素を主体に模式的に示しており、図示された各構成要素の厚み、長さ、個数、間隔等は、図面作成の都合上から実際とは異なる。また、上記の実施形態で示す各構成要素の材質、形状、寸法等は一例であって、特に限定されるものではなく、本発明の構成から実質的に逸脱しない範囲で種々の変更が可能である。
【産業上の利用可能性】
【００９２】
本発明は、画像形成装置に関するものであり、産業上の利用可能性を有する。
【符号の説明】
【００９３】
１００  シール作成装置
１１０  読取部
１１５  制御部
１２０  特定部
１３０  作成部
１４０  外縁算出部
１５０  位置算出部
１５５  原稿画像作成部
１６０  入力部
１６２  表示部
１６５  記憶部
１７０  通信部
１７５  画像形成部
３００  患部観察シール
４００  シール作成システム
４５０  ネットワーク
４６０  サーバー
４７０  記憶部
４８０  通信部
【図１】
2020027420.tif 000003
【図２】
2020027420.tif 000004
【図３】
2020027420.tif 000005
【図４】
2020027420.tif 000006
【図５】
2020027420.tif 000007
【図６】
2020027420.tif 000008
【図７】
2020027420.tif 000009
【図８】
2020027420.tif 000010
【図９】
2020027420.tif 000011